(57)【要約】【課題】  サーバ及びネットワークとの接続無しに、偽造等に対して安全性の高い印刷物を容易且つ安価に発行できる印刷物発行システムを提供する。【解決手段】  画像形成装置１には、記録媒体毎の固有情報が格納された記憶手段３１を備える記録媒体３からその固有情報を読出す固有情報読取部１１と、その固有情報を加工して加工後情報を生成する固有情報加工部１２とを備えさせ、画像読取装置２には、記録媒体３からその固有情報を読出す固有情報読取部２１と、加工後情報が印刷された記録媒体３上からその加工後情報を読出す加工後情報読取部２２と、加工後情報から所定の復元方法により固有情報を復元させる固有情報復元部２４と、記憶手段から読み出された固有情報と加工後情報を復元させた固有情報を比較する比較手段２３とを備えさせる。【選択図】        図３
2006253767.tif 000002
【特許請求の範囲】
【請求項１】
記録媒体毎の固有情報が格納された記憶手段を備える記録媒体から該固有情報を読み出す固有情報読取部と、
前記固有情報を、所定の加工方法により加工して加工後情報を生成する固有情報加工部と、
前記記録媒体に印刷させるために外部から入力される印刷情報及び前記加工後情報を前記記録媒体上に印刷する画像形成部と
を備えることを特徴とする画像形成装置。
【請求項２】
前記固有情報から、前記記録媒体上の前記加工後情報を印刷する位置を演算する印刷位置演算部
を備えることを特徴とする請求項1に記載の画像形成装置。
【請求項３】
前記固有情報加工部は、所定の加工方法として、前記固有情報に所定の暗号化処理を実施する
ことを特徴とする請求項１又は２に記載の画像形成装置。
【請求項４】
記録媒体毎の固有情報が格納された記憶手段を備える記録媒体から該固有情報を読み出す固有情報読取部と、
前記固有情報が加工された加工後情報が印刷されている前記記録媒体上から該加工後情報を読み出す加工後情報読取部と、
前記加工後情報から所定の復元方法により固有情報を復元させる固有情報復元部と、
前記記憶手段から読み出された固有情報と前記加工後情報を復元させた固有情報を比較する比較手段と
を備えることを特徴とする画像読取装置。
【請求項５】
前記固有情報から、前記記録媒体上の前記加工後情報が印刷された位置を演算する印刷位置演算部
を備えることを特徴とする請求項４に記載の画像読取装置。
【請求項６】
前記固定情報復元部は、所定の復元方法として、前記加工後情報に所定の暗号復号化処理を実施する
ことを特徴とする請求項４又は５に記載の画像読取装置。
【請求項７】
請求項１〜３の何れかに記載された画像形成装置と、請求項４〜６の何れかに記載された画像読取装置とを備える
ことを特徴とする印刷物発行システム。
【請求項８】
記録媒体毎の固有情報が格納された記憶手段を備える記録媒体から該固有情報を読み出す手段と、前記固有情報を暗号化する手段と、真贋判定が必要となる画像と共に前記暗号化された固有情報を前記記録媒体上に印刷する手段とを備えた画像形成装置と、
前記暗号化された固有情報が前記画像形成装置により印刷された前記記録媒体から該暗号化された固有情報の印刷内容を読み出す手段と、前記記録媒体から該固有情報を読み出す手段と、前記暗号化された固有情報の印刷内容を復号化させて固有情報を復元させる手段と、前記記録媒体から読み出された固有情報と前記印刷内容から復元された固有情報を比較して差異の有無を判定する比較手段とを備えた画像読取装置と
を備えることを特徴とする印刷物発行システム。
【発明の詳細な説明】
【技術分野】
【０００１】
本発明は、例えば、無線により読み出し可能な記憶手段を備える記録媒体に真贋判定が実施される画像を印刷する画像形成装置、及び、その記録媒体に印刷された画像の真贋判定を実施する画像読取装置とから構成される印刷物発行システムに関する。
【背景技術】
【０００２】
近年の複写機やプリンタ等の画像形成装置の高性能化により、紙等の記録媒体上に形成された画像の正確な複写が容易になり、一般の業務が便利になる一方で、有価証券、金券、切手、切符、入場券、あるいは、機密情報の印刷物等の複写されるべきでない画像や情報等が記録媒体に容易に複写（偽造）されてしまい、その不正な複写物（以下、不正複写文書と記載）が流出するという問題が発生している。
【０００３】
この不正複写文書の流出を防止するための方法としては、例えば、先ず非接触（無線方式）で記憶される情報の読み書きが可能な記憶手段であるＩＣチップ（ＩＣタグ：ＲＦＩＤとも称される）を記録媒体に組み込んだ電子シートを使用し、複写されるべきでない画像をその電子シートに印刷（画像形成）する時に、記憶手段に真贋判定用の情報を書き込んで（記憶させて）おくと共に、その真贋判定用の情報をオンライン接続されたネットワークを介して情報管理用サーバに格納しておく。そして、その印刷された電子シートを検証するときに、検証装置は、情報管理用サーバからネットワークを介して真贋判定用の情報を読み出し、電子シートから読み出したデータと照合することにより真贋判定を実施する印刷物発行システムが知られている。
【０００４】
又、ネットワークを介して情報管理用サーバに接続された画像形成装置を用いる方法では、ＩＣチップに情報を読み書きするＩＣリーダライタは認証キーが一致しないと読み書きできない性質を利用して、まず、オリジナル文書を電子シートに印刷する時に、ＩＣチップの読み書きの許可に用いられる認証キーと、ＩＣチップ内に暗号化されて記録された情報を復号するために用いられる復号化キーをネットワーク経由で情報管理用サーバに格納する。次に、その認証キーと復号化キーを、予めオフライン型の検証装置（ＩＣリーダを備える）に格納させておく。そして、検証装置を用いて電子シートの真贋を判定する場合には、不正な認証キーで書き込まれたＩＣチップ内容は、認証キーが異なるためＩＣリーダで読み出せなくなる。このようにして印刷された電子シートの真贋の判定を行う印刷物発行システムが知られている（例えば、特許文献１参照）。
【０００５】
【特許文献１】特開２００１−１３４６７２号公報（第５〜６頁、図８）
【発明の開示】
【発明が解決しようとする課題】
【０００６】
しかしながら、上記した従来の印刷物発行システムでは、記憶手段が組み込まれた記録媒体に印刷する場合に、印刷に使用される電子シートの記憶手段（ＩＣチップ）を読み出しできる機能だけでは不十分で、認証キー等を書き込めるように書き込み機能を有している必要がある。又、同様に画像形成装置（印刷装置）にも、情報を読み出せるＩＣリーダの機能だけでは不十分で、認証キー等の書き込みができるＩＣリーダライタの機能が必要である。又、その書き込み時には、画像形成装置（印刷装置）と情報管理用サーバとを通信接続して認証キーと復号化キーとをサーバ側で管理する必要があった。
【０００７】
一般的に、読み出しのみの記憶手段（ＩＣチップ）に対して、読み書きが可能な記憶手段は高価である。又、読み出しのみのＩＣリーダに対して、読み書きが可能なＩＣリーダライタも高価である。したがって、上記した従来の方法では、高価な記憶手段が組み込まれた用紙（記録媒体）が使用され、高価なＩＣリーダライタが備えられた画像形成装置で実施する必要があるので、画像形成装置の製造コストおよびランニングコストが増加するという問題があった。
【０００８】
本発明は、上述した如き従来の問題を解決するためになされたものであって、偽造、複製あるいは改ざん等に対して安全性の高い印刷物を容易且つ安価に発行できる印刷物発行システムを提供することである。より具体的には、まず一方では、真贋判定が必要になる画像等を記録媒体に印刷する場合に、読み出し機能のみの記憶手段が組み込まれた記録媒体を使用でき、読み出し機能のみのＩＣリーダを使用できる画像形成装置を提供する。そして、他方では、その読み出し機能のみの記憶手段が組み込まれて印刷された記録媒体の真贋を判定する場合にも、読み出し機能のみのＩＣリーダを使用できる検証装置を提供することを目的とする。
【課題を解決するための手段】
【０００９】
上記した課題を解決するために、本発明の印刷物発行システムでは、画像形成装置には、記録媒体毎の固有情報が格納された記憶手段を備える記録媒体から該固有情報を読み出す固有情報読取部と、固有情報を、所定の加工方法により加工して加工後情報を生成する固有情報加工部と、記録媒体に印刷させるために外部から入力される印刷情報及び加工後情報を記録媒体上に印刷する画像形成部とを備え、画像読取装置には、記録媒体毎の固有情報が格納された記憶手段を備える記録媒体から該固有情報を読み出す固有情報読取部と、固有情報が加工された加工後情報が印刷されている記録媒体上から該加工後情報を読み出す加工後情報読取部と、加工後情報から所定の復元方法により固有情報を復元させる固有情報復元部と、記憶手段から読み出された固有情報と加工後情報を復元させた固有情報を比較する比較手段とを備える。
【発明の効果】
【００１０】
本発明に係る画像形成装置及び画像読取装置は、真贋判定が必要になる画像等を記録媒体に印刷する場合に、読み出し機能のみの記憶手段が組み込まれた記録媒体を使用でき、読み出し機能のみのＩＣリーダを備える画像形成装置と、読み出し機能のみの記憶手段が組み込まれて印刷された記録媒体の真贋判定時にも、読み出し機能のみのＩＣリーダを備える検証装置となる画像読取装置を提供できるので、偽造、複製あるいは改ざん等に対して安全性の高い印刷物を容易に発行できる印刷物発行システムを提供することができる。
【発明を実施するための最良の形態】
【００１１】
実施の形態１
以下、本発明をその実施の形態を示す図面に基づいて具体的に説明する。
【００１２】
図１は、本発明の実施の形態１に係る画像形成装置及び画像読取装置の概略の構成を示す断面図である。
図１の画像形成装置１は、各々固有情報が格納されて無線により読み出し可能な記憶手段（無線ＩＣチップ  ｏｒ  ＲＦＩＤ：ＩＣ＝Integrated Circuit、ＲＦＩＤ＝Radio Frequency IDentification：以下、無線ＩＣチップのみ記載）が埋め込まれると共に印刷情報を表面に印刷させることができる記録媒体（用紙）３が格納される用紙トレイ１０と、その用紙３中の記憶手段から固有情報を読み出せる固有情報読取部（ＩＣリーダ）１１を備える。本実施の形態では、ＩＣリーダ１１としては、読取機能のみ（リード・オンリー）で書き込み機能を備えていない安価なものが使用される。
【００１３】
本実施の形態で利用する用紙３に埋め込まれた記憶手段（無線ＩＣチップ）には、用紙に埋め込まれて製造される段階で、一般的な製品と同様に、品質管理あるいは問題発生時の製造時点や流通経路のトレース等のため、製造番号（あるいはシリアルナンバー）が付与されている。この製造番号は、用紙1枚毎に異なる番号等の情報であり、例えば、アルファベット記号ならＡＢＣ順であったり、数字であれば昇順の連続番号、あるいは、アルファベットと数字の組み合わせにより構成されることが多い。本実施形態では、この製造番号を固有情報として利用する。又、以下の本実施の形態では、製造番号が数字の連続番号である場合について説明する。
【００１４】
又、画像形成装置１には、固有情報を所定の加工方法により加工して加工後情報を生成する固有情報加工部と、用紙に印刷させるために外部から入力される印刷情報及び加工後情報を用紙上に印刷する画像形成部が備えられるが、これらについては、図３を参照して後述する。
【００１５】
真贋判定が必要になる画像等を用紙３に印刷する印刷指示が入力された場合には、画像形成装置１は、用紙トレイ１０に格納された用紙３からＩＣリーダ１１で固有情報を読み出し、次いで固有情報加工部で固有情報を真贋判定に用いられる情報に加工して加工後情報とし、その加工後情報の画像を印刷指示された印刷情報の画像と合成し、用紙３を搬送経路１３中を搬送させながら、合成された画像を画像形成部により形成（印刷）する。
【００１６】
図１の画像読取装置２は、記録媒体毎の固有情報が格納されて無線により読み出し可能な記憶手段が埋め込まれて印刷情報が表面に印刷された記録媒体（用紙）３中の記憶手段から固有情報を読み出せる固有情報読取部（ＩＣリーダ）２１と、その固有情報が加工された加工後情報が印刷されている用紙３上からその加工後情報（識別情報、バーコード）を読み出す加工後情報読取部２２とを備える。本実施の形態では、ＩＣリーダ２１としては、読取機能のみ（リード・オンリー）で書き込み機能を備えていない安価なものが使用される。
【００１７】
又、その加工後情報から所定の復元方法により固有情報を復元させる固有情報復元部と、記憶手段からＩＣリーダ２１により読み出された固有情報と加工後情報を復元させた固有情報を比較する比較手段が備えられるが、これらについては、図３を参照して後述する。
【００１８】
読み出し機能のみの記憶手段が組み込まれて印刷された用紙３の真贋を判定する場合には、画像読取装置２は、搬送経路２３を搬送される用紙３からＩＣリーダ２１で固有情報を読み出すと共に、さらにその後の搬送経路２３を搬送される用紙３から加工後情報印刷内容読取部２２で印刷内容から加工後情報を読み出す。その後、固有情報復元部では、加工後情報からもとの固有情報を復元させる。さらに、比較手段では、ＩＣリーダ２１で読み取った固有情報と加工後情報から復元された固有情報とを比較して真贋を判定する。
【００１９】
図２は、図１の記憶手段が埋め込まれた用紙に加工後情報が合成された印刷情報が印刷された一例を示す図である。
図２では、加工後情報３３が、例えば、上位装置等の外部から入力される印刷情報３２と合成されて用紙３上に印刷される。図２における用紙３の上部左側には、無線ＩＣチップ３１が埋め込まれている。無線ＩＣチップ３１は、上記したように予め記録媒体各々に独自内容である固有情報が格納されており、例えば、アンテナで外部電界から誘導された電力を取得して、外部からの信号（例えば、読み出し指示信号）を受信すると共に記憶された内容を無線出力により読み出させることができるものである。
【００２０】
加工後情報３３は、本実施の形態では図示されたようにバーコードの形態であり、例えば、図２における用紙３の下部右側の所定位置に印刷される。
【００２１】
図３は、本実施形態の画像形成装置１、画像読取装置２、用紙３、及び、印刷情報を送出する上位装置４の概略の内部構成を示すブロック図である。
画像形成装置１は、用紙３の無線ＩＣチップ３１に格納されている固有情報を読み出せるＩＣリーダ１１、読み取った固有情報を所定の加工方法に基づいて加工して印刷物の真贋を判定するための加工後情報（識別情報）を生成する固有情報加工部１２と、加工後情報を印刷するためにバーコード化させて出力する加工後情報印刷内容生成部１３と、上位装置４から送信された印刷情報を受信する印刷情報受信部１４と、印刷情報の画像と加工後情報印刷内容生成部１３から出力されたバーコードの画像を合成させた合成画像情報を出力すると共に画像形成（印刷）を制御する制御部１５と、その合成画像情報による画像を印刷する画像形成部１６とを備える。
【００２２】
さらに、画像形成装置１は、固有情報加工部１２で固有情報を加工する加工方法（及びその復元方法）を記憶する加工/復元方法記憶部１７と、加工後情報印刷内容生成部１３で加工後情報を印刷するためにバーコード化させる方法（及びその復元方法）を記憶する印刷内容生成/復元情報記憶部１８を備える。
【００２３】
画像読取装置２は、用紙３の無線ＩＣチップ３１に格納されている固有情報を読み出せるＩＣリーダ２１、固有情報が加工された加工後情報（バーコード）が印刷されている用紙３上からその加工後情報（バーコードの場合はバーコードを数値あるいは文字に戻して）を読み出す加工後情報読取部２２と、読み取った加工後情報を画像形成装置１で加工される前の固有情報に復元させる固有情報復元部２４と、ＩＣリーダ２１で用紙３から読み取られた固有情報と固有情報復元部２４で復元された固有情報とを比較して用紙３が正当に印刷された物か否かを判定すると共に判定結果の表示出力を制御する制御部２３と、その判定結果の出力を表示させる表示部２５とを備える。
【００２４】
さらに、画像読取装置２は、固有情報復元部２４で固有情報を復元する復元方法（及びその加工方法）を記憶する加工/復元方法記憶部２６と、加工後情報読取部２２で印刷物から加工後情報を読み出す方法（又はバーコードから加工後情報の数値を復元させて読み出す方法）を記憶する印刷内容生成/復元情報記憶部２７を備える。
【００２５】
画像形成装置１の加工/復元方法記憶部１７と、画像読取装置２の加工/復元方法記憶部２６の記憶内容については、加工方法と復元の両方の方法を記憶させることで同内容が記憶させても良いが、画像形成装置１では少なくとも加工方法が必要であり、画像読取装置２では少なくとも復元方法が必要である。同様にして、画像形成装置１の印刷内容生成/復元情報記憶部１８と、画像読取装置２の印刷内容生成/復元情報記憶部２７の記憶内容についても、印刷内容生成と復元の両方の方法を記憶させることで同内容が記憶させても良いが、画像形成装置１では少なくとも印刷内容生成方法が必要であり、画像読取装置２では少なくとも復元方法が必要である。
【００２６】
図１に示したように、画像形成装置１と画像読取装置２が一体化されている装置の場合には、加工/復元方法記憶部１７と加工/復元方法記憶部２６を統合させることができ、同様に、印刷内容生成/復元情報記憶部１８と印刷内容生成/復元情報記憶部２７も統合させることが可能である。
【００２７】
又、画像形成装置１と画像読取装置２が別体の装置である場合には、例えば、画像形成装置１の加工/復元方法記憶部１７からは、少なくともその復元情報を含み、又、印刷内容生成/復元情報記憶部１８からも、少なくともその復元情報を含む情報を汎用のメモリーカード等の可搬型の記憶手段に記憶させて、その可搬型記憶手段の記憶内容を、画像読取装置２の加工/復元方法記憶部２６と印刷内容生成/復元情報記憶部２７に転記させればよい。
【００２８】
用紙３は、無線により読み出し可能な記憶手段（無線ＩＣチップ）３１が埋め込まれており、その無線ＩＣチップ３１中には、上記したように予め記録媒体毎の独自の固有情報が格納されている。用紙３の表面上には、上位装置４等から入力（受信）される印刷情報に基づく画像が印刷されるが、本実施の形態では、その印刷時には、印刷情報と合成された加工後情報の印刷内容（バーコード）の画像が共に印刷される。
【００２９】
上位装置４は、例えばパーソナルコンピュータであり、例えばプリンタである画像形成装置１と接続ケーブル等により接続されている。上位装置４は、使用者（ユーザ）が印刷情報を作成する際に使用するソフトウエア等のアプリケーション部４１と、アプリケーション部４１からの指示により印刷情報を生成すると共に印刷結果に真贋の判定に用いる加工後情報（識別情報）を付加して印刷する指示を出力するドライバ部４２と、印刷情報を送信すると共に画像形成装置１からの応答等を受信する送受信部４３を備える。
【００３０】
図４は、図３の構成の画像形成装置１で固有情報を加工する場合の情報の形態が変遷する様子の一例を示す図である。
最初のステップ２０１は、図３の用紙３の無線ＩＣチップ３１に記憶されて、画像形成装置１の固有情報読取部１１により読み取られた固有情報を示す。この固有情報は、上記したように、例えば、製造番号（シリアルナンバー）のように各用紙１枚毎に異なる独自の情報である。なお、図４のステップ２０１では、この固有情報を数字のみで１２３４５６７８としたが、上記したように、他の数字配列あるいはアルファベットの並びにより置き換えても良い。
【００３１】
次のステップ２０２では、固有情報「１２３４５６７８」の並び順が固有情報加工部１２で逆順に加工されて、加工後情報「８７６５４３２１」とされた場合を示している。この数字を逆順にする方法は、加工／復元情報記憶部１７に記憶されており、固有情報加工部１２は、加工／復元情報記憶部１７から読み出した加工方法に基づいて固有情報を加工する。この固有情報の加工作業（及び復元作業）は、広義で捉えた場合には、暗号化作業（及び復号化作業）と言える。
【００３２】
本実施の形態では、この加工後情報を、印刷物の受領者が画像の真贋を判定するための識別情報として用いることができるように、印刷画像と共に用紙３上に印刷しておき、印刷物の受領者は、復号方法により加工後情報を元の固有情報に復元させて、無線ＩＣチップ３１から読み出された固有情報と照合することで、印刷物の真贋を判定することができることになる。
【００３３】
最後のステップ２０３では、上記したステップ２０２の加工後情報をさらに加工後情報印刷内容生成部１３でバーコード化した印刷内容として、制御部１５で画像合成して、画像形成部１６で用紙３上に印刷させる場合を示している。アルファベットあるいは数値等をバーコード化する際には、様々な方式があり、何れの方式のバーコードが用いられるかを印刷物の受領者側で知ることは困難である。この加工後情報のバーコード化作業（及び復元作業）も、広義で捉えた場合には、暗号化作業（及び復号化作業）と言える。このようにして、本実施形態では、ステップ２０２で数字の並びを逆順にする第１の暗号化作業が実施された後に、ステップ２０３でバーコード化という第２の暗号化作業が実施されることになる。
【００３４】
図５は、図３の画像読取装置２により図４に示されたバーコードから固有情報を復元させる場合の情報の形態が変遷する様子の一例を示す図である。
最初のステップ４０１は、図３の用紙３上の印刷内容から加工後情報印刷内容読取部２２で読み取られたバーコードが示されている。
次のステップ４０２では、バーコードから復元された印刷物の真贋判定用の識別情報（元の加工後情報）である「８７６５４３２１」が示されている。図３の加工後情報印刷内容読取部２２では、印刷内容生成/復元情報記憶部２７から読み出されたバーコードの復元情報を用いて、元の加工後情報「８７６５４３２１」を得ている。
【００３５】
最後のステップ４０３では、固有情報復元部２４で復元（復号）された元の固有情報「１２３４５６７８」が示されている。固有情報復元部２４では、ステップ４０２で復元された識別情報（元の加工後情報）に対して、更に、加工/復元方法記憶部２６から読み出された復号情報を用いて復号させることで、元の固有情報「１２３４５６７８」を得ている。そして、制御部２３では、固有情報復元部２４で復号された固有情報と、ＩＣリーダ２１で無線ＩＣチップ３１から読み出された固有情報とを比較して、該当する印刷物の真贋を判定することになる。
【００３６】
図６は、本実施の形態の画像形成装置１で、図３の上位装置４から受信した印刷情報と共に、用紙３の無線ＩＣチップ３１の固有情報を正当な印刷であることを示す加工後情報（識別情報）に加工後さらにバーコード化させて付加して用紙３上に印刷する場合のフローチャートである。
まず、図６に示される以前の周辺装置の処理動作について説明する。上位装置４では、アプリケーション部４１で作成したデータをドライバ部４２で印刷情報に変換するが、その際に、印刷物が真贋（正当性）を判別する必要がある場合には、例えば、その判別用の識別情報を付加することを指示（又は選択）する。すると、上位装置４の送受信部４３では、その印刷情報を識別情報を付加して印刷する指示（識別印刷指示）を、印刷情報と共に画像形成装置１に向けて送信する。
【００３７】
画像形成装置１は、印刷情報受信部１４で印刷情報を受信する（Ｓ１）と、制御部１５では、それと共に識別印刷指示が受信されたか否か、すなわち識別印刷指示の受信の有無により予め設定された識別印刷を実施するか否かを判断する（Ｓ２）。識別印刷とは、上記したように印刷物が真贋（正当性）を判別する必要がある場合に、印刷情報による印刷画像に対してその判別用の識別情報が付加されて（又は、印刷画像中に埋め込まれて）印刷されることである。なお、識別印刷の設定については、画像形成装置１の設置時等の事前の段階で予め実施されていることとする。
【００３８】
識別印刷指示が受信されていた場合（Ｓ２：ＹＥＳ）には、制御部１５は、固有情報読取部１１により用紙３の無線チップ３１から固有情報を読み取らせ（Ｓ３）、読取が成功したか否かを判断する（Ｓ４）が、識別印刷指示が受信されていない場合（Ｓ２：ＮＯ）には、制御部１５は、通常印刷を実施する（Ｓ１３）。
【００３９】
固有情報読取部１１による固有情報の読取が成功した場合（Ｓ４：ＹＥＳ）には、制御部１５は、固有情報加工部１２に対し、加工/復元情報記憶部１７から加工方法の情報を取得させて、その固有情報を加工後情報に加工させる（Ｓ５）。しかし、固有情報読取部１１による固有情報の読取が失敗した場合（Ｓ４：ＮＯ）には、制御部１５は、図示されない通信部（送信手段）を介して上位装置（印刷情報送信側手段）に対して識別印刷ができない（不可）旨を通知する（Ｓ１１）。
【００４０】
固有情報加工部１２で加工された加工後情報は、加工後情報印刷内容生成部１３で変換されて、バーコード形式の加工後情報の印刷内容が生成される（Ｓ６）。次いで、制御部１５では、印刷情報受信部１４で受信した印刷情報と、バーコード形式の加工後情報の印刷内容とが合成されて画像形成部１６に送出される（Ｓ７）と共に、例えば、図１の画像形成装置１の用紙トレイ１０から用紙３が画像形成部１６に給紙され（Ｓ８）、画像形成部１６において、印刷情報とバーコード形式の加工後情報が、識別印刷として印刷される（Ｓ９）。
【００４１】
一方、ステップＳ１１で識別印刷ができない旨を上位装置に通知した画像形成装置１は、上位装置４から通常印刷の指示が受信されたか否か、すなわち通常印刷指示の受信の有無により通常印刷を実施するか否かを判断する（Ｓ１２）。通常印刷指示が受信されていた場合（Ｓ１２：ＹＥＳ）には、制御部１５は、印刷情報受信部１４で受信した印刷情報を通常印刷で印刷する（Ｓ１３）が、通常印刷指示が受信されていない場合（Ｓ１２：ＮＯ）には、制御部１５は、上位装置（印刷情報送信側手段）４に向けて印刷不能である旨を通知する（Ｓ１４）。
【００４２】
図７は、本実施の形態の画像読取装置２で、図３の画像形成装置１で識別情報が付加されて印刷された用紙３上の印刷内容から加工後情報（識別情報）を読み取ると共に、用紙３の無線ＩＣチップ３１の固有情報を読み取り、用紙３が正当な印刷物であることを判断（識別）する場合のフローチャートである。
画像読取装置２は、用紙３の無線チップ３１から固有情報を読み取らせ（Ｓ２１）、読取が成功したか否かを判断する（Ｓ２２）。固有情報が読み取りできる場合（Ｓ２２：ＹＥＳ）には、制御部２３は、加工後情報印刷内容読取部２２に対し、印刷内容生成/復元情報記憶部２７から復元方法の情報を取得させて、用紙３上の印刷内容から加工後情報を読み取らせる（Ｓ２３）。具体的には、例えば、加工後情報印刷内容読取部２２が、バーコードの形式情報を印刷内容生成/復元情報記憶部２７から得て、読み込んだバーコードから加工後情報の印刷内容を復元させる。一方、固有情報が読み取りできない場合（Ｓ２２：ＮＯ）には、制御部２３は、不正な印刷物であると識別する（Ｓ２９）。
【００４３】
画像読取装置２は、ステップＳ２３で読み取られる加工後情報について、読取が成功したか否かを判断する（Ｓ２４）。加工後情報が読み取りできた場合（Ｓ２４：ＹＥＳ）には、制御部２３は、固有情報復元部２４に対し、加工/復元情報記憶部２６から復元方法の情報を取得させて、加工後情報から元の固有情報を復元させる（Ｓ２５）。一方、加工後情報が読み取りできない場合（Ｓ２４：ＮＯ）には、制御部２３は、不正な印刷物であると識別する（Ｓ２９）。
【００４４】
次いで、制御部２３は、用紙３の無線チップ３１から読み取られた固有情報と、固有情報復元部２４で加工後情報から復元された固有情報とを比較し（Ｓ２６）、両方の固有情報が一致するか否かを判断する(Ｓ２７)。制御部２３は、両方の固有情報が一致した場合（Ｓ２７：ＹＥＳ）には、用紙３は正当な印刷物であると識別し（Ｓ２８）、両方の固有情報が一致しない場合（Ｓ２７：ＮＯ）には、用紙３は不正な印刷物であると識別し（Ｓ２９）、その識別結果を表示部２５に表示させる（Ｓ３０）。
【００４５】
尚、図１では、画像形成装置１と画像読取装置２が一体に形成された場合の例を示したが、本実施の形態では、図３に示した画像形成装置１の固有情報加工手段１２及び加工後情報印刷内容生成部１３に対して、画像読取装置２の加工後情報印刷内容読取部２２及び固有情報復元部２４が対応する復元手段（復元方式）を備えていれば別体であってもかまわない。一体である場合には、上記したように加工情報及び復元情報の記憶部を統合でき、別体である場合には、メモリーカード等を用いて記憶内容を転記させればよい。
【００４６】
このように本実施の形態の画像形成装置１には、固有情報読取部（ＩＣリーダ）１１と固有情報加工部１２と画像形成部１６とを少なくとも備え、又、画像読取装置２には、固有情報読取部（ＩＣリーダ）２１と、加工後情報読取部２２と、固有情報復元部２４と、比較手段（制御部）２３とを少なくともを備えるように構成したので、真贋判定が必要になる画像等を記録媒体に印刷する場合には、読み出し機能のみの記憶手段（無線ＩＣチップ)３１が組み込まれた記録媒体（用紙）３を使用でき、読み出し機能のみのＩＣリーダ１１を使用でき、ネットワーク通信手段を不要にできる。又、その読み出し機能のみの記憶手段（無線ＩＣチップ）３１が組み込まれて印刷された記録媒体(用紙）３の真贋を判定する場合には、読み出し機能のみのＩＣリーダ２１を使用でき、ネットワーク通信手段を不要にできる。従って、本実施の形態では、サーバ及びネットワークとの接続無しに、偽造、複製あるいは改ざん等に対して安全性の高い印刷物を容易且つ安価に発行できる印刷物発行システムを提供することができる。
【００４７】
実施の形態２
図８は、本発明の実施の形態２の画像形成装置、画像読取装置、用紙、及び、印刷情報を送出する上位装置の概略の内部構成を示すブロック図である。
画像形成装置１ａの内部において、ＩＣリーダ１１ａ、固有情報加工部１２ａ、加工後情報印刷内容生成部１３ａ、印刷情報受信部１４ａ、制御部１５ａ、画像形成部１６ａ、加工/復元方法記憶部１７ａ、及び、印刷内容生成/復元情報記憶部１８ａの基本的な構成及び動作内容は、実施の形態１の対応する構成及び動作と同様である。又、画像読取装置２ａの内部において、ＩＣリーダ２１ａ、加工後情報読取部２２ａ、固有情報復元部２４ａ、制御部２３ａ、表示部２５ａ、加工/復元方法記憶部２６ａ、印刷内容生成/復元情報記憶部２７ａの基本的な構成及び動作内容も、実施の形態１の対応する構成及び動作と同様である。従って、それらの基本的な構成及び動作内容については、重複する説明を省略する。
【００４８】
本実施の形態の画像形成装置１ａでは、上記した実施の形態１の構成に加えて、用紙３ａ上の加工後情報（識別情報）を印刷する位置を演算する印刷位置演算部５７を備える。又、本実施の形態の画像読取装置２ａでは、上記した実施の形態１の構成に加えて、用紙３ａ上の加工後情報（識別情報）が印刷されている位置、すなわち、用紙３ａから加工後情報（識別情報）を読み取る位置を演算する印刷位置演算部６６を備える。
【００４９】
画像形成装置１ａの印刷位置演算部５７は、ＩＣリーダ１１ａで用紙３ａから読み取られた固有情報、例えば、「１２３４５６７８」に基づいて加工後情報（識別情報：本実施の形態ではバーコード形式）を用紙３ａ上に印刷する位置を演算する。固有情報が「１２３４５６７８」の場合で、例えば、その先頭の数値「１」を利用する場合には、用紙３ａ上で、左端から１ｃｍ（下端からは所定距離）に加工後情報（バーコード）を印刷させるように、制御部（画像合成）１５ａで印刷情報と画像合成して画像形成部１６ａで印刷させればよい。その他の処理は実施の形態１と同様である。
【００５０】
一方、画像読取装置２ａの印刷位置演算部６６は、ＩＣリーダ２１ａで用紙３ａから読み取られた固有情報、例えば、「１２３４５６７８」に基づいて加工後情報（識別情報：本実施の形態ではバーコード形式）が用紙３ａ上に印刷されている位置を演算する。固有情報が「１２３４５６７８」の場合で、例えば、その先頭の数値「１」を利用する場合には、用紙３ａ上で、左端から１ｃｍ（下端からは所定距離）の加工後情報（バーコード）を読み取るように、加工後情報印刷内容読取部２２ａに指示すればよい。その他の処理は実施の形態１と同様である。
【００５１】
図９は、図８の構成の画像形成装置１ａで固有情報を加工する場合の情報の形態が変遷する様子の一例を示す図である。
尚、以下の説明では、実施の形態１と同様な処理内容については重複する記載を省略し、実施の形態１と異なる処理内容についてのみ記載する。
最初のステップ２０１ａでは、図８の用紙３ａの無線ＩＣチップ３１ａに記憶されて、画像形成装置１ａの固有情報読取部１１ａにより読み取られた固有情報「１２３４５６７８」を示す。本実施の形態では、その先頭の数値「１」を利用する場合を説明する。
【００５２】
次のステップ２０２ａでは、固有情報「１２３４５６７８」の先頭の「１」を除く数字「２３４５６７８」について、並び順が固有情報加工部１２ａで逆順に加工されて、加工後情報「８７６５４３２」とされた場合を示している。それと共にステップ３０１が実施され、位置演算部５７で固有情報の先頭の「１」に基づいて印刷位置が演算される。例えば、「１」に基づいて、用紙３ａ上で、左端から１ｃｍ（下端からは所定距離）に加工後情報（バーコード）を印刷させるように指示が出力される。
【００５３】
最後のステップ２０３ａでは、上記したステップ２０２ａの加工後情報をさらに加工後情報印刷内容生成部１３ａでバーコード化した印刷内容として、制御部１５ａで画像合成させる際には用紙３ａ上で左端から１ｃｍ（下端からは所定距離）となるように画像合成させて、画像形成部１６ａで用紙３ａ上に印刷させる場合を示している。
【００５４】
図１０は、図８の画像読取装置２ａにより図９に示されたバーコードから固有情報を復元させる場合の情報の形態が変遷する様子の一例を示す図である。
最初のステップ５０１では、画像読取装置２ａの固有情報読取部２１ａで用紙３ａの無線ＩＣチップ３１ａから読み取られた固有情報「１２３４５６７８」が示されている。その先頭の数値「１」が印刷位置演算部６６に出力される。
【００５５】
次のステップ５０２では、受信した数値「１」に基づいて印刷位置演算部６６で演算される用紙３ａ上における加工後情報（バーコード）が印刷された位置が示されている。例えば、「１」に基づいて、用紙３ａ上で、左端から１ｃｍ（下端からは所定距離）に加工後情報（バーコード）が印刷されていることが演算される。この印刷位置の情報が加工後情報印刷内容読取部２２ａに出力される。
【００５６】
ステップ４０１ａでは、図８の用紙３ａ上の印刷内容から、左端から１ｃｍ（下端からは所定距離）が指定されて、加工後情報印刷内容読取部２２ａで読み取られたバーコードが示されている。
【００５７】
次のステップ４０２ａでは、バーコードから復元された印刷物の真贋判定用の識別情報（元の加工後情報）である「８７６５４３２」が示されている。図８の加工後情報印刷内容読取部２２ａでは、印刷内容生成/復元情報記憶部２７ａから読み出されたバーコードの復元情報を用いて、元の加工後情報「８７６５４３２」を得ている。
【００５８】
最後のステップ４０３ａでは、固有情報復元部２４ａで復元（復号）された元の固有情報「２３４５６７８」が示されている。固有情報復元部２４ａでは、ステップ４０２ａで復元された識別情報（元の加工後情報）に対して、更に、加工/復元方法記憶部２６ａから読み出された復号情報を用いて復号させることで、元の固有情報「２３４５６７８」を得ている。そして、制御部２３ａでは、固有情報復元部２４ａで復号された固有情報と、ＩＣリーダ２１ａで無線ＩＣチップ３１ａから読み出された固有情報とを比較して、該当する印刷物の真贋を判定することになる。
【００５９】
図１１は、本実施の形態の画像形成装置１ａで、図８の上位装置４ａから受信した印刷情報と共に、用紙３ａの無線ＩＣチップ３１ａの固有情報を正当な印刷であることを示す加工後情報（識別情報）に加工後さらにバーコード化させて付加して用紙３ａ上に印刷する場合のフローチャートである。
図１１に示される本実施の形態のフローチャートでは、図示される以前の周辺装置の処理動作及びステップＳ１ａ〜Ｓ４ａまでの処理動作と、ステップＳ８ａ以降の処理動作については実施の形態１の対応するステップと同様であるので、以下の説明では重複する記載を省略し、異なる処理動作のみについて説明する。
【００６０】
固有情報読取部１１ａによる固有情報の読取が成功した場合（Ｓ４ａ：ＹＥＳ）には、印刷位置演算部５７は、固有情報読取部１１ａで読み取られたその固有情報の一部（先頭の数値「１」）を用いて用紙３ａ上における加工後情報（バーコード）の印刷位置を演算する（Ｓ１５）。制御部１５ａは、固有情報加工部１２ａに対し、加工/復元情報記憶部１７ａから加工方法の情報を取得させて、その固有情報を加工後情報に加工させる（Ｓ５ａ）。しかし、固有情報読取部１１ａによる固有情報の読取が失敗した場合（Ｓ４ａ：ＮＯ）には、制御部１５ａは、図示されない通信部（送信手段）を介して上位装置（印刷情報送信側手段）に対して識別印刷ができない（不可）旨を通知する（Ｓ１１ａ）。
【００６１】
固有情報加工部１２ａで加工された加工後情報は、加工後情報印刷内容生成部１３ａで変換されて、バーコード形式の加工後情報の印刷内容が生成される（Ｓ６ａ）。次いで、制御部１５ａでは、印刷情報受信部１４ａで受信した印刷情報に対して、バーコード形式の加工後情報の印刷内容が印刷位置演算部５７で演算された印刷位置に合成されて画像形成部１６ａに送出される（Ｓ７ａ）。他の処理動作は、実施の形態１と同様である。
【００６２】
図１２は、本実施の形態の画像読取装置２ａで、図８の画像形成装置１ａで識別情報が付加されて印刷された用紙３ａ上の印刷内容から加工後情報（識別情報）を読み取ると共に、用紙３ａの無線ＩＣチップ３１ａの固有情報を読み取り、用紙３ａが正当な印刷物であることを判断（識別）する場合のフローチャートである。
【００６３】
図１２に示される本実施の形態のフローチャートでは、ステップＳ２１ａ〜Ｓ２２ａまでの処理動作と、ステップＳ２６ａ以降の処理動作については実施の形態１の対応するステップと同様であるので、以下の説明では重複する記載を省略し、異なる処理動作のみについて説明する。
【００６４】
固有情報が読み取りできる場合（Ｓ２２ａ：ＹＥＳ）には、印刷位置演算部６６は、固有情報読取部２１ａで読み取られた固有情報の一部（先頭の数値「１」）を用いて用紙３ａ上における加工後情報（バーコード）の印刷位置を演算する（Ｓ３１）。制御部２３ａは、加工後情報印刷内容読取部２２ａに対し、印刷位置演算部６６からの印刷位置の情報と印刷内容生成/復元情報記憶部２７ａから復元方法の情報を取得させて、用紙３ａ上の印刷内容から加工後情報を読み取らせる（Ｓ２３ａ）。具体的には、例えば、加工後情報印刷内容読取部２２ａが、用紙３ａの左から何ｃｍから読み取りするかの印刷位置の情報を印刷位置演算部６６から取得すると共にバーコードの形式情報を印刷内容生成/復元情報記憶部２７ａから取得して、読み込んだバーコードから加工後情報の印刷内容を復元させる。一方、固有情報が読み取りできない場合（Ｓ２２ａ：ＮＯ）には、制御部２３ａは、不正な印刷物であると識別する（Ｓ２９ａ）。
【００６５】
画像読取装置２は、ステップＳ２３ａで読み取られる加工後情報について、読取が成功したか否かを判断する（Ｓ２４ａ）。加工後情報が読み取りできた場合（Ｓ２４ａ：ＹＥＳ）には、制御部２３ａは、固有情報復元部２４ａに対し、加工/復元情報記憶部２６ａから復元方法の情報を取得させて、加工後情報から元の固有情報を復元させる（Ｓ２５ａ）。一方、加工後情報が読み取りできない場合（Ｓ２４ａ：ＮＯ）には、制御部２３は、不正な印刷物であると識別する（Ｓ２９ａ）。
【００６６】
このように本実施の形態の画像形成装置１ａには、実施の形態１の画像形成装置１の構成に加えて、印刷位置演算部５７が設けられ、又、画像読取装置２ａにも、実施の形態１の画像読取装置２の構成に加えて、印刷位置演算部６６が設けられたので、用紙３ａにおける加工後情報(識別情報）を印刷する位置を任意の位置に変更することができる。従って、本実施の形態では、実施の形態１の効果に加えて、印刷位置と読取位置による偽造防止を実施できるので、偽造、複製あるいは改ざん等に対してより安全性の高い印刷物を発行できる印刷物発行システムを提供できる。
【００６７】
実施の形態３
図１３は、本発明の実施の形態３の画像形成装置、画像読取装置、用紙、及び、印刷情報を送出する上位装置の概略の内部構成を示すブロック図である。
画像形成装置１ｂの内部において、ＩＣリーダ１１ｂ、固有情報加工部１２ｂ、加工後情報印刷内容生成部１３ｂ、印刷情報受信部１４ｂ、制御部１５ｂ、画像形成部１６ｂ、加工/復元方法記憶部１７ｂ、及び、印刷内容生成/復元情報記憶部１８ｂの基本的な構成及び動作内容は、実施の形態１の対応する構成及び動作と同様である。又、画像読取装置２ｂの内部において、ＩＣリーダ２１ｂ、加工後情報読取部２２ｂ、固有情報復元部２４ｂ、制御部２３ｂ、表示部２５ｂ、加工/復元方法記憶部２６ｂ、印刷内容生成/復元情報記憶部２７ｂの基本的な構成及び動作内容も、実施の形態１の対応する構成及び動作と同様である。従って、それらの基本的な構成及び動作内容については、重複する説明を省略する。
【００６８】
本実施の形態の画像形成装置１ｂでは、上記した実施の形態１の構成に加えて、固有情報加工部１２ｂで固有情報を加工するために使用される暗号化方式の情報が記憶される暗号化方式記憶部７７と、固有情報を暗号化するために使用される暗号化キーの情報が記憶される暗号化キー記憶部７８と、暗号化された形態の固有情報を元の形態の固有情報に復号化させるために使用される復号化キーの情報が記憶される復号化キー記憶部７９を備える。又、本実施の形態の画像読取装置２ｂでは、上記した実施の形態１の構成に加えて、画像形成装置１ｂで固有情報を加工（暗号化）する際に使用された暗号化方式に対応する暗号（復号）化方式の情報が記憶される暗号（復号）化方式記憶部８６と、暗号化された形態の固有情報を元の形態の固有情報に復号化させるために使用される復号化キーの情報が記憶される復号化キー記憶部８７を備える。
【００６９】
画像形成装置１ｂの固有情報加工部１２ｂは、ＩＣリーダ１１ｂで用紙３ｂから読み取られた固有情報、例えば、「１２３４５６７８」に基づき、さらに、暗号化方式記憶部７７に記憶された暗号化方式で、暗号化キー記憶部７８に記憶された暗号化キーを用いて、固有情報を加工（暗号化）する。そして、暗号化された加工後情報（識別情報：本実施の形態ではバーコード形式）が用紙３ｂ上に印刷される。その他の処理は実施の形態１と同様である。
【００７０】
一方、画像読取装置２ｂの固有情報復元部２４ｂは、ＩＣリーダ２１ｂで用紙３ｂから読み取られた固有情報、例えば、「１２３４５６７８」に基づき、さらに、暗号（復号）化方式記憶部８６に記憶された暗号化方式で、複合化キー記憶部８７に記憶された複合化キーを用いて、暗号化された加工後情報（識別情報：本実施の形態ではバーコード形式）を復号する。そして、復号化された固有情報が制御部２３ｂに出力されて、固有情報読取部２１ｂで用紙３ｂから読み取られた固有情報と比較される。その他の処理は実施の形態１と同様である。
【００７１】
図１４は、図１３の構成の画像形成装置１ｂで固有情報を加工する場合の情報の形態が変遷する様子の一例を示す図である。
尚、以下の説明では、実施の形態１と同様な処理内容については重複する記載を省略し、実施の形態１と異なる処理内容についてのみ記載する。
【００７２】
最初のステップ２０１ｂでは、図１３の用紙３ｂの無線ＩＣチップ３１ｂに記憶されて、画像形成装置１ｂの固有情報読取部１１ｂにより読み取られた固有情報「１２３４５６７８」を示す。本実施の形態では、その固有情報「１２３４５６７８」を、ステップ３０２の暗号化キー「sol4eXpo」を用いて暗号化する場合を説明する。
【００７３】
次のステップ２０２ｂでは、固有情報加工部１２ｂによって、固有情報「１２３４５６７８」が、暗号化方式記憶部７７に記憶された暗号化方式で、暗号化キー記憶部７８に記憶された暗号化キーにより暗号化された結果の加工後情報「8dg0aek9」が示されている。この加工後情報（バーコード）を印刷させるように指示が出力される。
【００７４】
最後のステップ２０３ｂでは、上記したステップ２０２ｂの加工後情報をさらに加工後情報印刷内容生成部１３ｂでバーコード化した印刷内容として画像合成させて、画像形成部１６ｂで用紙３ｂ上に印刷させる場合を示している。
【００７５】
図１５は、図１３の画像読取装置２ｂにより図１４に示されたバーコードから固有情報を復元させる場合の情報の形態が変遷する様子の一例を示す図である。
【００７６】
最初のステップ４０１ｂでは、図１３の用紙３ｂ上の印刷内容から、加工後情報印刷内容読取部２２ｂで読み取られたバーコードが示されている。
【００７７】
次のステップ４０２ｂでは、バーコードから復元された印刷物の真贋判定用の識別情報（元の加工後情報）である「8dg0aek9」が示されている。図１３の加工後情報印刷内容読取部２２ｂでは、印刷内容生成/復元情報記憶部２７ｂから読み出されたバーコードの復元情報を用いて、元の加工後情報「8dg0aek9」を得ている。一方、ステップ５０３では、固有情報復元部２４ｂは、暗号(復号）化方式記憶部８６から復号化方式を読み出すと共に、復号化キー記憶部８７から復号化キー「odu3F4ps」を読み出している。
【００７８】
最後のステップ４０３ｂでは、固有情報復元部２４ｂで復元（復号）された元の固有情報「１２３４５６７８」が示されている。固有情報復元部２４ｂでは、ステップ４０２ｂで復元された識別情報（元の加工後情報）に対して、更に、暗号（復号）化方式記憶部８６に記憶された暗号化方式で、復元化キー記憶部８７から読み出された復号化キー「odu3F4ps」を用いて復号させることで、元の固有情報「１２３４５６７８」を得ている。そして、制御部２３ｂでは、固有情報復元部２４ｂで復号された固有情報と、ＩＣリーダ２１ｂで無線ＩＣチップ３１ｂから読み出された固有情報とを比較して、該当する印刷物の真贋を判定することになる。
【００７９】
図１６は、本実施の形態の画像形成装置１ｂで、図１３の上位装置４ｂから受信した印刷情報と共に、用紙３ｂの無線ＩＣチップ３１ｂの固有情報を正当な印刷であることを示す加工後情報（識別情報）に加工（暗号化）後さらにバーコード化させて付加して用紙３ｂ上に印刷する場合のフローチャートである。
図１６に示される本実施の形態のフローチャートでは、図示される以前の周辺装置の処理動作及びステップＳ１ｂ〜Ｓ４ｂまでの処理動作と、ステップＳ８ｂ以降の処理動作については実施の形態１の対応するステップと同様であるので、以下の説明では重複する記載を省略し、異なる処理動作のみについて説明する。
【００８０】
固有情報読取部１１ｂによる固有情報の読取が成功した場合（Ｓ４ｂ：ＹＥＳ）には、暗号化方式記憶部７７に暗号化方式が設定され、暗号化キー記憶部７８には、その暗号化方式で用いられる暗号化キーが設定される。その際に、復号化キーも復号化キー記憶部７９に設定される（Ｓ１６）。制御部１５ｂは、固有情報加工部１２ｂに対して、固有情報読取部１１ｂで読み取られたその固有情報「１２３４５６７８」を、暗号化方式記憶部７７に記憶された暗号化方式で、暗号化キー記憶部７８に記憶された暗号化キーを用いて暗号化させて、その加工後情報「8dg0aek9」を加工後情報印刷内容生成部１３ｂに出力させる(Ｓ１７)。しかし、固有情報読取部１１ｂによる固有情報の読取が失敗した場合（Ｓ４ｂ：ＮＯ）には、制御部１５ｂは、図示されない通信部（送信手段）を介して上位装置（印刷情報送信側手段）に対して識別印刷ができない（不可）旨を通知する（Ｓ１１ｂ）。
【００８１】
固有情報加工部１２ｂで加工された加工後情報は、加工後情報印刷内容生成部１３ｂで変換されて、バーコード形式の加工後情報の印刷内容が生成される（Ｓ６ｂ）。次いで、制御部１５ｂでは、印刷情報受信部１４ｂで受信した印刷情報に対して、バーコード形式の加工後情報の印刷内容が合成されて画像形成部１６ｂに送出される（Ｓ７ｂ）。他の処理動作は、実施の形態１と同様である。
【００８２】
図１７は、本実施の形態の画像読取装置２ｂで、図１３の画像形成装置１ｂで識別情報が付加されて印刷された用紙３ｂ上の印刷内容から加工後情報（識別情報）を読み取ると共に、用紙３ｂの無線ＩＣチップ３１ｂの固有情報を読み取り、用紙３ｂが正当な印刷物であることを判断（識別）する場合のフローチャートである。
【００８３】
図１７に示される本実施の形態のフローチャートでは、ステップＳ２１ｂ〜Ｓ２４ｂまでの処理動作と、ステップＳ２６ｂ以降の処理動作については実施の形態１の対応するステップと同様であるので、以下の説明では重複する記載を省略し、異なる処理動作のみについて説明する。
【００８４】
まず、画像読取処理の前に、暗号(復号）化方式記憶部８６に復号化方式を記憶させると共に、復号化キー記憶部８７に復号化キー「odu3F4ps」を記憶させておき(Ｓ３２)、その後に、ステップＳ２１ｂ〜Ｓ２４ｂの処理を実施させる。
【００８５】
加工後情報が読み取りできた場合（Ｓ２４ｂ：ＹＥＳ）には、制御部２３ｂは、固有情報復元部２４ｂに対し、暗号（復号）化方式記憶部８６に記憶された複合化方式の情報と、復元化キー記憶部８７から読み出された復号化キー「odu3F4ps」の情報を取得させて、加工後情報から元の固有情報を復元させる（Ｓ３３）。一方、加工後情報が読み取りできない場合（Ｓ２４ｂ：ＮＯ）には、制御部２３ｂは、不正な印刷物であると識別する（Ｓ２９ｂ）。
【００８６】
このように本実施の形態の画像形成装置１ｂには、実施の形態１の画像形成装置１の構成に加えて、暗号化方式記憶部７７と暗号化キー記憶部７８と復号化キー記憶部７９が設けられ、又、画像読取装置２ｂにも、実施の形態１の画像読取装置２の構成に加えて、暗号(復号）化方式記憶部８６と復号化キー記憶部８７が設けられたので、固有情報化後部１２ｂで固有情報を加工後情報（識別情報）に加工する際に、データの加工方式として一般的な暗号化方式を適用することができる。すると、画像形成装置１ｂに独自に設定したデータの加工（暗号化）方法を、画像読取装置２ｂの復元（復号化）方法として共用するために独自の設定が必要なくなり、両装置に一般的な暗号化方式を適用することができる。従って、本実施の形態では、実施の形態１の効果に加えて、一般的な暗号化方式による偽造防止を実施できるので、偽造、複製あるいは改ざん等に対して安全性の高い印刷物をより容易に発行できる印刷物発行システムを提供できる。
【００８７】
尚、上記した各実施の形態では、画像形成装置がプリンタの場合で画像読取装置が一体化された場合を説明したが、本発明は上記した各実施の形態に示された構成に限られるものではなく、各実施の形態の要素を任意に組み合わせた構成にも適用することができる。又、本発明は、例えば、本発明の画像形成装置が多機能印刷機（ＭＦＰ）である場合、あるいは、画像読取装置がバーコードリーダ又はスキャナである場合、画像形成装置と画像読取装置が一体化された複合機が、ファクシミリ装置又は複写装置である場合等に適用することができる。
【図面の簡単な説明】
【００８８】
【図１】本発明の実施の形態１に係る画像形成装置及び画像読取装置の概略の構成を示す断面図である。
【図２】図１の記憶手段が埋め込まれた用紙に加工後情報が合成された印刷情報が印刷された一例を示す図である。
【図３】本実施形態の画像形成装置、画像読取装置、用紙、及び、印刷情報を送出する上位装置の概略の内部構成を示すブロック図である。
【図４】図３の構成の画像形成装置で固有情報を加工する場合の情報の形態が変遷する様子の一例を示す図である。
【図５】図３の画像読取装置により図４に示されたバーコードから固有情報を復元させる場合の情報の形態が変遷する様子の一例を示す図である。
【図６】実施の形態１の画像形成装置で、図３の上位装置から受信した印刷情報と共に、用紙の無線ＩＣチップの固有情報を正当な印刷であることを示す加工後情報（識別情報）に加工後さらにバーコード化させて付加して用紙上に印刷する場合のフローチャートである。
【図７】実施の形態１の画像読取装置で、図３の画像形成装置で識別情報が付加されて印刷された用紙上の印刷内容から加工後情報（識別情報）を読み取ると共に、用紙の無線ＩＣチップの固有情報を読み取り、用紙が正当な印刷物であることを判断（識別）する場合のフローチャートである。
【図８】本発明の実施の形態２の画像形成装置、画像読取装置、用紙、及び、印刷情報を送出する上位装置の概略の内部構成を示すブロック図である。
【図９】図８の構成の画像形成装置で固有情報を加工する場合の情報の形態が変遷する様子の一例を示す図である。
【図１０】図８の画像読取装置により図９に示されたバーコードから固有情報を復元させる場合の情報の形態が変遷する様子の一例を示す図である。
【図１１】実施の形態２の画像形成装置で、図８の上位装置から受信した印刷情報と共に、用紙の無線ＩＣチップの固有情報を正当な印刷であることを示す加工後情報（識別情報）に加工後さらにバーコード化させて付加して用紙上に印刷する場合のフローチャートである。
【図１２】実施の形態２の画像読取装置で、図８の画像形成装置で識別情報が付加されて印刷された用紙上の印刷内容から加工後情報（識別情報）を読み取ると共に、用紙の無線ＩＣチップの固有情報を読み取り、用紙が正当な印刷物であることを判断（識別）する場合のフローチャートである。
【図１３】本発明の実施の形態３の画像形成装置、画像読取装置、用紙、及び、印刷情報を送出する上位装置の概略の内部構成を示すブロック図である。
【図１４】図１３の構成の画像形成装置で固有情報を加工する場合の情報の形態が変遷する様子の一例を示す図である。
【図１５】図１３の画像読取装置により図１４に示されたバーコードから固有情報を復元させる場合の情報の形態が変遷する様子の一例を示す図である。
【図１６】実施の形態３の画像形成装置で、図１３の上位装置から受信した印刷情報と共に、用紙の無線ＩＣチップの固有情報を正当な印刷であることを示す加工後情報（識別情報）に加工（暗号化）後さらにバーコード化させて付加して用紙上に印刷する場合のフローチャートである。
【図１７】実施の形態３の画像読取装置で、図１３の画像形成装置で識別情報が付加されて印刷された用紙上の印刷内容から加工後情報（識別情報）を読み取ると共に、用紙の無線ＩＣチップの固有情報を読み取り、用紙が正当な印刷物であることを判断（識別）する場合のフローチャートである。
【符号の説明】
【００８９】
１  画像形成装置
２  画像読取装置
３  用紙（記録媒体）
４  上位装置
１１  固有情報読取部
１２  固有情報加工部
１３  加工後情報印刷内容生成部
１４  印刷情報受信部
１５  制御部（画像合成）
１６  画像形成部
１７  加工/復元情報記憶部
１８  印刷内容生成/復元情報記憶部
２１  固有情報読取部
２２  加工後情報印刷内容読取部
２３  制御部（情報比較）
２４  固有情報復元部
２５  表示部
２６  加工/復元情報記憶部
２７  印刷内容生成/復元情報記憶部
３１  （固有情報記憶）無線ＩＣチップ（記憶手段）
４１  アプリケーション部
４２  ドライバ部
４３  送受信部
【図１】
2006253767.tif 000003
【図２】
2006253767.tif 000004
【図３】
2006253767.tif 000005
【図４】
2006253767.tif 000006
【図５】
2006253767.tif 000007
【図６】
2006253767.tif 000008
【図７】
2006253767.tif 000009
【図８】
2006253767.tif 000010
【図９】
2006253767.tif 000011
【図１０】
2006253767.tif 000012
【図１１】
2006253767.tif 000013
【図１２】
2006253767.tif 000014
【図１３】
2006253767.tif 000015
【図１４】
2006253767.tif 000016
【図１５】
2006253767.tif 000017
【図１６】
2006253767.tif 000018
【図１７】
2006253767.tif 000019